(57)【要約】【課題】車載用テレビジョンの電波受信時、映像信号から安定した同期分離ができないため、専用の同期分離ＩＣを映像処理ＬＳＩと別に設けていたため、プリント基板の実装面積やコストへの影響があり、また、外部同期と内部同期との位相差算出の検出精度が不足しているため、高精細パネルへの表示時に映像ジッタが発生することがある。【解決手段】本発明の同期分離回路は、フィルタ処理手段と、入力される映像信号データの規則的な下端値補正処理手段と、下端値検出に検出幅を持たせた下端値検出処理手段を備え、電界強度が変化しやすい車載環境に対応するとともに、同期分離回路によって導出される、ＴＴＬ型同期信号とディジタルデータ型同期信号の両信号と、内部カウントダウン水平同期処理回路から送られる位相差基準信号との位相差検出によって、位相差データを算出するように構成する。【選択図】図１
2005244450.tif 000002
【特許請求の範囲】
【請求項１】
車載用テレビジョン表示装置における映像信号データの同期分離回路であり、フィルタ処理手段と、前記映像信号データの規則的な下端値補正処理手段と、下端値検出に検出幅を持たせた下端値検出処理手段を備え、電界強度が変化しやすい車載環境に対応した同期分離回路。
【請求項２】
ＴＴＬ型同期信号とディジタルデータ型同期信号の両信号と、内部カウントダウン水平同期処理回路から送られる位相差基準信号との位相差検出によって、位相差データを算出する請求項１記載の同期分離回路。
【発明の詳細な説明】
【技術分野】
【０００１】
本発明は、車載用テレビジョンの受像機等に用いられる表示装置に係わり、映像信号に含まれる同期信号処理回路における同期分離処理と位相差データ算出処理に関するものである。
【背景技術】
【０００２】
現行の同期分離回路では、図４において、コンポジットビデオ信号１はクランプ回路２に入力し規定レベルにクランプされる。前記クランプ回路２の出力は、Ａ／Ｄコンバータ３のビデオ信号データを入力し、高周波ノイズやクロマ信号成分などの高域成分を除去するローパスフィルタ回路４に送られる。このローパスフィルタの出力を入力するミニマム検出回路５で入力したビデオ信号あるいはノイズ信号の最小値を求める。また、前記ローパスフィルタの出力を入力するペデスタル検出回路６で、ペデスタルレベルを求める。更に、前記ローパスフィルタの出力を入力する同期分離回路７によって、スライスレベル入力し、同期信号のスライスを行います。この同期分離回路７の出力を入力する同期信号検出回路８によって、同期信号の有無を検出し、同期信号検出回路８の出力を入力するクランプモード切り替え回路９で、同期信号のある時は前記ペデスタル検出回路６の出力を選択し、同期信号のない時は前記ミニマム検出回路５の出力を切り替えるようにして、前記クランプ回路２のクランプ信号を制御します。前記ペデスタル検出回路６の出力と前記ミニマム検出回路５の出力とを入力する中間スライスレベル発生回路１０で、中間スライスレベルを生成し、前記中間スライスレベル発生回路１０の出力と規定値を入力するスライスレベル切り替え回路１１で、前記同期検出回路８の出力信号により、同期信号のある時は中間スライスレベル発生回路９の出力を選択し、同期信号のない時は規定値を選択するようにし、その出力で前記同期分離回路７のスライスレベル１２を設定するように接続した回路で構成をしており、無信号時には固定値のスライスレベルを選択し、安定な同期信号検出を行うとともに、ビデオ信号入力時にはペデスタルレベルとミニマム値との中間レベルでスライス動作を行う同期分離回路の構成をとっている。
【０００３】
前記のような同期分離回路では、車載用テレビジョンの場合、走行しながらの電波受信のため、車の走行状態や周囲の建物などの障害物による影響や、車両自身から発生する各種ノイズにより、不安定な信号の影響で瞬間的に映像が乱れたりします。そのため、同期分離処理においても、安定した同期信号を分離できないため、専用の同期分離ＩＣを使用して、ＬＳＩ外部で生成した同期信号を入力せざるを得なかった。
【特許文献１】特開平８−２７５０２６号公報
【発明の開示】
【発明が解決しようとする課題】
【０００４】
しかしながら、上記従来の構成では車載用テレビジョンの場合、走行しながらの電波受信のため、車の走行状態や周囲の建物などの障害物による影響や、車両自身から発生する各種ノイズにより、映像信号から安定した同期分離ができないため、専用の同期分離ＩＣを映像処理ＬＳＩと別に設けていた。同期分離ＩＣを映像処理ＬＳＩと別に設けるため、コストへの影響があり、また、ＴＴＬ型同期信号からの外部同期と内部カウントダウン同期との位相差算出の検出精度が最大システムクロックの１／４までの精度しか出なかったため、ＷＶＧＡパネルへの表示時に映像ジッタが発生することがある。
【課題を解決するための手段】
【０００５】
この目的を達成するために、本発明の同期分離回路は、フィルタ処理手段と、入力される映像信号データの規則的な下端値補正処理手段と、下端値検出に検出幅を持たせた下端値検出処理手段を備え、電界強度が変化しやすい車載環境に対応するとともに、同期分離回路によって導出される、ＴＴＬ型同期信号とディジタルデータ型同期信号の両信号と、内部カウントダウン水平同期処理回路から送られる位相差基準信号との位相差検出によって、位相差データを算出するように構成する。
【発明の効果】
【０００６】
本発明の同期分離処理は、車のような移動体環境下での不安定なテレビジョン映像信号であっても、映像信号データから同期信号を分離することができ、高精度の位相差データを算出することことにより、水平方向の乱れや映像ジッタを低減でき、表示画像の画質を向上することができるという優れた効果が得られる。
【発明を実施するための最良の形態】
【０００７】
以下、発明の実施の形態は図面を参照しながら説明する。
【実施例１】
【０００８】
図１は本発明の車載用同期分離処理における、映像信号データ入力からスライス値導出までのブロック図である。
【０００９】
ＬＳＩに入力される映像信号にクランプ処理，１０ｂｉｔのＡ／Ｄ処理されたビデオ信号データ２１が入力される。この映像信号データ２１に、ノイズなどの高周波成分を除去するため、ＬＰＦ処理部２２でローパスフィルタをかけている。このローパスフィルタは入力信号の状態に応じて、約２ＭＨｚ，約１．５ＭＨｚ，約８６０ｋＨｚとフィルタをかけないの４種類から選択でき、フィルタ係数２３によって設定する。このフィルタ処理された映像信号データをペデスタルレベル付近の３５２（１６０ｈ）以下の制限処理部２４で制限処理をかける。即ち、常に３５２以下の映像信号データを検出します。
【００１０】
ここで導出された映像信号データを１２８ｃｌｋ毎に、１０ｂｉｔのカウンタと比較器２５を用いて、下端値補正処理２６を行いながら、上記で検出した信号データと上記カウンタ値との比較を行い、小さい値を最小検出値２７として設定する。この最小値に加算器２８で検出幅設定２９を行うため、１２８（８０ｈ）を加え、上記最小検出値２７とこの加算値との区間で、更にフィルタ処理３０を施した映像信号データの最下端値検出３０を行います。この１２８ｃｌｋ毎という規則的な下端補正処理２６と、加算器２８による検出幅設定２９で検出幅を持たせた最下端値検出処理３１によって、ノイズなどによる誤データ検出を防ぎ、車の走行時による不安定な信号による影響を軽減させます。
【００１１】
入力信号データが上記加算値以下である場合、弱電界時などによるノイズ成分を除去するために、ＬＰＦ処理部３２のローパスフィルタ３２で、映像信号データにフィルタ処理を行います。この映像信号データを３２ｃｌｋ毎にデータラッチを行い、最下端値を決定します。
【００１２】
この最下端値にファンクションで設定するスライスレベル値３３をスライスレベル導出処理部３４で加算処理をし、５１１（１ＦＦｈ）以下の制限処理をかけたものが、９ｂｉｔのデータスライス値３５となり、常にデータを監視し、データのスライスレベルを自動的に検出を行うようにする。また、この同期分離回路では、ＧＮＤ基点からデータスライスすることも可能で、ＧＮＤ基点設定３６で前記ファンクションと同じスライスレベル値３３をスライスレベルに設定し、スライスモード３７の設定により、セレクタ３８で、データスライス値３５が切り替わる。
【００１３】
また、前記ＬＰＦ処理部２２でローパスフィルタ処理した映像信号データは、同期信号生成処理のため、このブロックからビデオ信号データ３９として出力する。
【００１４】
図２は本発明の車載用同期分離処理における、導出されたスライス値から同期信号生成までのブロック図である。
【００１５】
算出されたスライスレベル値２５に上位２ｂｉｔ拡張したものから、前記、図１のＬＰＦ処理部２２のローパスフィルタで、映像信号データにフィルタ処理されたビデオ信号データ４２に１ｂｉｔ拡張したものを減算器４３で減算処理し、これをスライスデータ４４とする。このスライスデータ４４の最上位ビットをＭＳＢ監視４５で監視し、０の場合ｈｉｇｈ信号，１の場合Ｌｏｗ信号とし、ｈｉｇｈアクティブのＴＴＬ型の同期信号４６に変換される。また、前記スライスデータ４４に出力制限処理部４７で、制限処理を行い、０から５１１までのデータ型同期信号４８を導出する。
【００１６】
図３は本発明の車載用同期分離処理における、導出された同期信号から位相差データ算出までのブロック図である。
【００１７】
ＴＴＬ型同期信号５１と水平同期処理ブロックから送られる位相差基準信号５２と、位相比較期間を示す位相検出ウインドウ信号５３が入力されます。
【００１８】
ＴＴＬ型同期信号５１と位相検出ウインドウ信号５３から、データ確定タイミング信号生成部５４でデータ確定タイミング信号５５を作ります。この信号は、外部水平同期信号と、内部カウントダウン水平同期信号との位相差データを出力する時のの基準となる信号です。
【００１９】
ＴＴＬ型同期信号５１と位相検出ウインドウ信号５３の論理積をとり、位相検出領域５６を確定します。この領域と内部同期位相基準信号５２の反転信号５７との論理積をとり、Ａ領域５８を確定します。また、位相検出領域５６と内部同期位相基準信号５２の論理積をとり、Ｂ領域５９を確定します。
【００２０】
前記で求められたデータ型同期信号６０と、前記で求められたスライスデータ６１からＡ領域の面積データ，Ｂ領域の面積データをそれぞれ、Ａ領域の面積データ算出処理部６２と、Ｂ領域の面積データ算出処理部６３で算出します。この時、（−１）倍処理部６４でスライスデータのビット反転操作により、マイナスの値を導出します。このマイナスのスライスデータをビットシフト処理部６５で、１倍，１／２倍，１／４倍，３／４倍，１／８倍，１／１６倍，３／１６倍，１／３２倍，１／６４倍，３／６４倍の計１０のデータを生成し、それぞれビットシフト処理部６５で得られたスライスデータでビデオ信号データと加算器６６で加算処理し、スライス値のビット状態を監視し、小数点以下６桁、即ち、１／６４のデータまで算出します。
【００２１】
ここで得られた面積データは２５５（ＦＦｈ）を超えないよう、制限処理をかける。同時に、領域Ａと領域Ｂとの関係のフラグを導出し、そのフラグの状態より次のように、位相差算出処理部６７で、位相差データを算出する。
【００２２】
位相差基準信号５２の立ち上がりエッジが位相検出領域内に存在する場合はＡ領域で算出されたデータからＢ領域で算出されたデータが位相差データとなる。
【００２３】
位相差基準信号５２の立ち上がりエッジが位相検出領域内に存在せず、位相検出領域より遅れている場合はＡ領域で算出されたデータが位相差データとなる。
【００２４】
位相差基準信号５２の立ち上がりエッジが位相検出領域内に存在せず、位相検出領域より進んでいる場合はＡ領域で算出されたデータのマイナス値が位相差データとなる。
【００２５】
位相差基準信号５２の立ち下がりエッジが位相検出領域内に存在する場合はＡ領域の最大値＋２５５が位相差データとなる。
【００２６】
その他の場合は、±０を位相差データとする。
【００２７】
ここで求められた位相差データを１／２倍し、位相差データは最大で±１２７（小数点以下７桁の１／１２８）となります。
【００２８】
この位相差データは、出力値制限設定６８のファンクションによって、出力制限データ処理部６９で出力制限処理をすることができます。この処理は、外部同期信号がノイズなどで乱れている場合ロック外れなどが頻繁に起きるようになり補正データの変動を少しでも押さえるための処理です。ファンクションによる出力制限処理は、「制限しない」「±６４の範囲に制限」「±３２の範囲に制限」「±１６の範囲に制限」「±８の範囲に制限」「±４の範囲に制限」「±２の範囲に制限」から選択することができます。このデータは、前記データ確定タイミング信号生成部５４で生成されたデータ確定タイミング信号で確定されます。この位相差データ７０とデータ確定タイミング信号５５がこのブロックから出力され、位相差補正回路に出力します。
【産業上の利用可能性】
【００２９】
本発明は、車載用テレビジョンの受像機等に用いられる表示装置に係わり、車載環境特有な不安定なテレビジョン信号を、同期信号を分離するのと同時に、高精度の位相差データを算出することにより、水平方向の乱れやジッタを減らし、できる限り安定した表示にするのに有効である。
【図面の簡単な説明】
【００３０】
【図１】本発明のビデオ信号データ入力からスライス値導出までのブロック図
【図２】本発明の導出されたスライス値から同期信号生成までのブロック図
【図３】本発明の導出された同期信号から位相差データ算出までのブロック図
【図４】従来の同期分離回路のブロック図
【符号の説明】
【００３１】
１    コンポジットビデオ信号
２    クランプ回路
３    Ａ／Ｄコンバータ
４    ローパスフィルタ
５    ミニマム検出回路
６    ペデスタル検出回路
７    同期分離回路
８    同期分離検出回路
９    クランプモード切り替え回路
１０    中間スライスレベル発生回路
１１    スライスレベル切り替え回路
１２    スライスレベル規定値
２１    映像信号データ
２２，３２    ローパスフィルタ処理回路
２３    ローパスフィルタ係数
２４    入力データ制限処理回路
２５    比較器
２６    下端値補正処理回路
２７    最小値検出回路
２８、６６    加算器
２９    幅検出設定処理回路
３０    フィルタ回路
３１    最下端点導出回路
３３    スライスレベル値（ファンクション）
３４    スライスレベル導出処理回路
３５、４１、６１    スライス値
３６    ＧＮＤ基点設定処理回路
３７    スライスモード（ファンクション）
３８    ２信号セレクタ
３９、４２    ビデオ信号データ
４３    減算器
４４    スライスデータ導出回路
４５    最上位ビット監視処理回路
４６、５１    ＴＴＬ型同期信号
４７    出力制限処理回路
４８、６０    データ型同期信号
５２    位相差基準信号
５３    位相検出ウインドウ信号
５４    タイミング信号生成処理回路
５５    データ確定タイミング信号
５６    位相検出領域生成処理回路
５７    反転信号
５８    Ａ領域生成処理回路
５９    Ｂ領域生成処理回路
６２    Ａ領域の面積データ算出処理回路
６３    Ｂ領域の面積データ算出処理回路
６４    （−１）倍処理回路
６５    ビットシフト処理回路
６７    位相差算出処理回路
６８    出力値制限設定（ファンクション）
６９    出力制限データ処理回路
７０    位相差データ
【図１】
2005244450.tif 000003
【図２】
2005244450.tif 000004
【図３】
2005244450.tif 000005
【図４】
2005244450.tif 000006